(57)【要約】      （修正有）【課題】卓球の練習において、ネットにあたった打球がネットに沿って盤面端から落球することを防止する落球防止板を提供する。【解決手段】練習用ネット側面落球防止板は、厚さ２ｍｍの硬質塩化ビニール、ポリプロピレン、変性ポリエチレンテレフタレート、アクリル樹脂等を使った板状１で下部にはＬ型の安定部を有し、且つその安定部の両端はネットポール固定サポート５に挟み込むためのリブがあり、更に防止板１の両端に盤面の内側に向けて２０度の角度に折り曲げた球の方向転換部があり、そこに当たって跳ね返った球が卓球盤面の内側方向に転ぶように構成する。このネット側面落球防止板１は小型軽量（縦１２０ｍｍ横２４０ｍｍ厚さ２ｍｍ重量約８０ｇ）でネットポール固定サポート５に挟み込むだけで取り付けができ、ネット側面へネット７に沿って盤面６上を転がってくる自打球の落球を防ぐことができる。【選択図】図５
0003160310.tif 000002
【実用新案登録請求の範囲】
【請求項１】
卓球練習で自打球がネットにかかった場合、球はほとんどネットに沿って盤面上を転がりネット端の盤面から落球するのを防ぐため、ネット側面落球防止板（図１−１）とその防止板を立てて安定さす安定部（図１−２）更に防止板全体は脱着可能なためネットポ−ル固定サポート（図５−５）に挟んで固定するリブ（図１−４）自打球がネットにあたりネットに沿って盤面上を転がってきた球を、盤面の内側に向けて転がすため防止板（図１−１）の両端を盤面の内側に向けて２０度の角度をつけた球の方向転換部（図１−３）を具備したのを特徴とする卓球練習用ネット側面落球防止板。
【考案の詳細な説明】
【技術分野】
【０００１】本考案は、相手との卓球練習中に自打球がネットに当たり、ネットに沿って側面の盤面端から落球するのを防ぐ、落球防止板に関する。
【背景技術】
【０００２】相手との卓球練習において初心者及び中級者は、特に自打球がネットに掛かることが多くその打球はネットに沿って右利きの人は盤面左端に、左利きの人は盤面右端に転がって盤面から落球する、そのためその都度球を隣の台の方に拾いに行っていた。
【先行技術文献】
【特許文献】
【０００３】
【特許文献１】  実用新案登録第３１２２７８７号
【特許文献２】  実開平５−２９５６６
【特許文献３】  特開２００３−２７５３５８
【考案の概要】
【考案が解決しようとする課題】
【０００４】本考案は、相手との卓球練習で初心者及び中級者はネットに自打球が掛かることが多く、その打球はネットに沿って盤面端から落球する、そこで落球を防ぐため落球防止板（図１−１）とその防止板の下部にある安定部（図１−２）を盤面上のネットの両端にあるネットポール固定サポート（図５−５）に挟み固定するためのリブ（図１−４）を有し、更に防止板（図１−１）へネットに沿って転がって来た打球が盤面の内側に向けて転がるよう、防止板の両端を盤面の内側に向けて２０度の角度で折り曲げた、球の方向転換部（図１−３）を具備した、卓球練習用ネット側面落球防止板である。
本考案の目的は、卓球練習中に自打球がネットに当たった時、ネットに沿って球が盤面上を転がりネット端の盤面から落球するのを防ぐのが目的である。
【課題を解決するための手段】
【０００５】上述の目的を達成すべく本考案の第一の手段は、相手との練習中に自打球がネットにかかった時、球はほとんどネットに沿ってネット側面の盤面端に転がるので盤面上のネットポール固定サポートに側面落球防止板を挟み固定し、ネット端の盤面より側面に落球しないようにする。
【考案の効果】
【０００６】本考案は、誰でも安心安全で簡単に取り付けられ、しかも落球防止板一個で右利きの人や左利きの人にも適用でき、相手との練習中に自打球がネットにあたりそのネットに沿って盤面上を転がって、ネット側面の盤面から落球するのを防ぎ、球拾いに費やす労力と時間を大幅に節約して効率的な練習を可能にするとともに、何台もある会場の場合隣の台の人にも迷惑をかけない。
【図面の簡単な説明】
【０００７】
【図１】本考案のネット側面落球防止板の斜視図
【図２】本考案の正面図
【図３】本考案の平面図
【図４】本考案の側面図
【図５】ネット側面落球防止板を卓球台のサポートに設置した状態の拡大図
【図６】全体斜視図
【考案を実施するための形態】
【０００８】本考案の練習用ネット側面落球防止板は、厚さ２ｍｍの硬質塩化ビニール  ポリプロピレン  変性ポリエチレンテレフタレート  アクリル樹脂等を使った板状（図１−１）で下部にはＬ型の安定部（図１−２）を有し、且つその安定部の両端はネットポール固定サポート（図５−５）に挟み込むためのリブ（図１−４）があり、更に防止板（図１−１）の両端に盤面の内側に向けて２０度の角度に折り曲げた球の方向転換部（図１−３）があり、そこに当たって跳ね返った球が卓球盤面の内側方向に転ぶようになっている。
【実施例】
【０００９】以下本考案の実施例を図面に基づき説明すると（図１−１）はネット側面落球防止板の斜視図で、自打球がネットに掛かった時にネットに沿って盤面上を転がってくる球を止める防止板（図１−１）とその防止板の下部にある安定部（図１−２）更に防止板全体をサポート（図５−５）に挟んで固定するリブ（図１−４）自打球がネットにあたりネットに沿って盤面上を転がって来た球を盤面の内側に向けて転がすために、防止板の両端に盤面の内側に向けて２０度の角度をつけた、球の方向転換部（図１−３）から成っている。【００１０】本考案では、アクリル樹脂  硬質塩化ビニール  変性ポリエチレンテレフタレート  ポリプロピレン  塩化ビニール樹脂  ＡＢＳ樹脂  各種プラスチック等を素材とする。
【産業上の利用可能性】
【００１１】本考案の練習用ネット側面落球防止板は、小型軽量（約８０ｇ）で使用するにあたって卓球盤面に取り付けがとても簡単で価格も安く、更に機能的に見ても右利きの人にも左利きの人にも取り付け位置を変えれば適用できる。初心者及び中級者の練習では自打球をネットにあてることが多く、その為ネットにあたった球はネットに沿って盤面の端に転がり落球するので、その都度素早く球拾いをしないと隣の台の方に転がり迷惑をかける。そこで本考案の練習用ネット側面落球防止板を設置すればネットに沿って盤面上を転がって来た球の落球は防げ、球拾いに費やす労力と時間を大幅に節約して効率的な練習を可能にするとともに、隣の台の人にも迷惑をかけずお互い遠慮なく気持ちよく練習ができる為大いに利用が可能である。
【符号の説明】
【００１２】１  落球防止板本体
２  落球防止板本体安定部
３  球の方向転換部
４  落球防止板本体固定リブ
５  ネットポール固定サポート
６  卓球台盤
７  ネット
【図１】
0003160310.tif 000003
【図２】
0003160310.tif 000004
【図３】
0003160310.tif 000005
【図４】
0003160310.tif 000006
【図５】
0003160310.tif 000007
【図６】
0003160310.tif 000008
【手続補正書】
【提出日】平成22年3月29日(2010.3.29)
【手続補正１】
【補正対象書類名】実用新案登録請求の範囲
【補正対象項目名】全文
【補正方法】変更
【補正の内容】
【実用新案登録請求の範囲】
【請求項１】
卓球盤面上を転がってくる球を止める防止板（１）と、前記防止板の下部にある安定部（２）と、前記安定部の両端に、配置されたネットポール固定サポートに固定するためのリブ部（４）と、前記防止板の両端に配置された、前記防止板に対し、前記卓球盤面の内側に向けて２０度の角度で折り曲げた球の方向転換部（３）からなることを特徴とする  卓球練習用  ネット側面落球防止板。